(57)【要約】      （修正有）【課題】複数の非接触ＩＣカード同士の相互干渉による読み取りエラーを防ぐと共に、感度調整の容易さ、収納性、加工性及び検査性を向上させた折り畳み式非接触ＩＣカード収納ケースを提供する。【解決手段】収納ケース外側第一面及び第二面にそれぞれ１枚ずつ非接触ＩＣカードの収納部を有し、且つ収納ケース内部に磁性体、導電体並びにその他収納部をそれぞれ配置することで、リーダー・ライターからの交流磁界と、収納ケースのリーダー・ライターにかざした側に収納された非接触ＩＣカードのみが確実に交信を行う収納ケースである。その上で、磁性体と導電体を同形状とすることで両者を同時成形加工可能とする。加えて、磁性体の取り外し又は収納ケース内部へのその他収納部配置により、収納ケース交信感度調整ができる。更には、磁性体と導電体間にその他収納部を設けることによって、磁性体の封入検査を永久磁石により可能とした収納ケースを実現する。【選択図】図２
2009169918.tif 000002
【特許請求の範囲】
【請求項１】
折り畳んだ状態に於いて両外側面にそれぞれ一枚ずつの非接触ＩＣカード収納部を設けた収納ケースであって、収納ケースの外側第一面より収納ケースが折り畳まれた内側方向に向かって順に、第一面側非接触ＩＣカード収納部，次に少なくとも非接触ＩＣカードのループアンテナをカバーするサイズの磁性体をそれぞれ配置し、収納ケースの外側第二面より収納ケースが折り畳まれた内側方向に向かって順に、第二面側非接触ＩＣカード収納部，次に少なくとも外側第一面側の磁性体と同じか一回り大きいサイズの磁性体，更に収納ケース外側第二面側の磁性体と同サイズの導電体をそれぞれ配置したことを特徴とする収納ケース。
【請求項２】
前記収納ケースには外側両面の非接触ＩＣカード収納部以外にその他収納部を有し、前記その他収納部の表面，裏面の片側若しくは両側には少なくとも非接触ＩＣカードのループアンテナをカバーするサイズの導電体を配置したことを特徴とする請求項１に記載の収納ケース。
【請求項３】
前記収納ケース外側第一面側磁性体よりも前記収納ケース折り畳み時内側方向に、前記収納ケース第一面側磁性体と同形状の導電体を配置したことを特徴とする請求項１又は請求項２に記載の収納ケース。
【請求項４】
前記収納ケース外側第一面側及び第二面側磁性体のうち、一方若しくは両方が、任意に収納ケースより取り外し可能であることを特徴とする請求項１乃至３のいずれかに記載の収納ケース。
【請求項５】
前記収納ケースに於いて、外側第一面側磁性体，第一面側導電体間及び外側第二面側磁性体，第二面側導電体間のうち、片側若しくは両側にその他収納部を配置することを特徴とする請求項１乃至４のいずれかに記載の収納ケース。
【請求項６】
前記磁性体が、合成ゴム又は合成樹脂基材に磁性粉乃至は磁性フレークを分散させたシート状若しくは板状であることを特徴とする請求項１乃至５のいずれかに記載の収納ケース。
【請求項７】
前記導電体が、反磁界を発生させる金属のうちいずれかよりなること及び、形状がシート状若しくは板状であることを特徴とする請求項１乃至５のいずれかに記載の収納ケース。
【発明の詳細な説明】
【発明の詳細な説明】
【技術分野】
【０００１】  本発明はループアンテナを備え交流磁界を交信手段とする非接触ＩＣカード（以下、非接触ＩＣカードと呼ぶ）を複数枚収納可能とする折り畳み式非接触ＩＣカード収納ケース（以下、収納ケースと呼ぶ）であって、複数枚の非接触ＩＣカードを収納した状態で所望の非接触ＩＣカードのみをリーダー・ライターと確実に交信可能とする収納ケースに関する。
ここで言う収納ケースとは、財布やパスケース，名刺入れ，カードケース，手帳等を指す。
【背景技術】
【０００２】  近年、非接触ＩＣカードは、電子マネーを始め乗車券，定期券及び入退室管理システム等で既に広く普及している。非接触ＩＣカードはループアンテナを内蔵し、リーダー・ライターから放射される所定の周波数の交流磁界により電磁結合することによって交信を行い、情報のやり取りを行う。【０００３】  利用者はパスケースや財布などに非接触ＩＣカードを入れたままリーダー・ライターにかざすだけで通信を適切に行なうことができ、従来の磁気カードなどに比べ利便性が向上したため、多目的なカードをそれぞれの発行機関が発行し、利用者が同時に複数枚の非接触ＩＣカードを所持する場合も少なくない。【０００４】  前記のように利便性が高く普及も広く進んでいる非接触ＩＣカードにも、複数枚の非接触ＩＣカードがリーダー・ライターの交信範囲内に存在する場合、相互の非接触ＩＣカードの干渉により「枚数超過」などの読み取りエラーを起こす問題が生じる。【０００５】  このような問題を解消するため、従来技術として例えば下記特許文献１には、二枚の非接触ＩＣカードの間の隔壁部に、導電体と前記導電体の第一面及び第二面磁性体部を設けた構成とした非接触型ＩＣカードホルダーが提案されている。
前記従来技術（以下、従来技術１と呼ぶ）の非接触型ＩＣカードホルダーの構成を図８に示す。図８は、従来技術１の構成を示す断面図である。【０００６】  従来技術１の非接触型ＩＣカードホルダーは、カードホルダー本体１０６にカードポケット１０４，１０５間の隔壁に導電体１０３の第一面及び第二面に磁性体１０１，１０２を設けている。【０００７】  例として、非接触ＩＣカードＣＡを使用する際、当該ＩＣカードＣＡの面を図示しないリーダー・ライターの読み取り面にかざす。このとき、リーダー・ライターからの交流磁界の多くはリーダー・ライターに近い側の磁性体１０１を磁路として収束し、リーダー・ライターに戻る磁力線のループを形成し、隣接した非接触ＩＣカードＣＡに内蔵されたアンテナコイルＣＡａとの交信を促す。
リーダー・ライターからの交流磁界のうち導電体１０３と鎖交する磁界は、導電体１０３の内部に生じる渦電流によって発生した反磁界に打ち消され、他方の非接触ＩＣカードＣＢのアンテナコイルＣＢａには影響を与えない。よって、リーダー・ライターからの交流磁界は非接触ＩＣカードＣＢのアンテナコイルＣＢａとの交信をせず、非接触ＩＣカードＣＡのアンテナコイルＣＡａとのみ交信を可能とする。なお、他方の非接触ＩＣカードＣＢを使用する場合も同様である。【０００８】  また、従来技術の例として下記特許文献２には、二枚の非接触ＩＣカードの間に、導電性シートと前記導電性シートの第一面及び第二面に前記導電性シートの外周縁部分よりも一回り小さい磁性シートを積層した構成としたＩＣカードアクセス制御体が提案されている。
前記従来技術（以下、従来技術２と呼ぶ）のＩＣカードアクセス制御体の構成を図９に示す。
図９は、前記従来技術の構成を示す断面図である。【０００９】  従来技術のＩＣカードアクセス制御体は、導電性シート２０３の第一面及び第二面に導電性シートの外周縁部分よりも一回り小さい磁性シート２０１，２０２を積層させたものであり、前記ＩＣカードアクセス制御体を二枚の非接触ＩＣカードＣＣ，ＣＤの中間に挟んで分離して使用する。【００１０】  例として、非接触ＩＣカードＣＣを使用する際、当該ＩＣカードＣＣの面を図示しないリーダー・ライターにかざす。このとき、従来技術１と同様の効果を得られると共に、更にリーダー・ライターからの交流磁界のうち導電性シート２０３の外側を通る磁界は、磁性シート２０２が導電性シート２０３の外周縁部よりも一回り小さいために磁性シート２０２に引き込まれることなくＩＣカードＣＤのアンテナコイルＣＤａとはリーダー・ライターとの磁路は形成されない。
よって、リーダー・ライターの交流磁界は非接触ＩＣカードＣＤのアンテナコイルＣＤａとの交信をさせずに、非接触ＩＣカードＣＣのアンテナコイルＣＣａとのみリーダー・ライターとの交信を可能とする。
なお、他方の非接触ＩＣカードＣＤを使用する場合も同様である。
この従来技術２は従来技術１と比較して、より確実な交信を可能とするものである。【００１１】
【特許文献１】特許第３６３０００６号
【特許文献２】特許第３８７２４９６号
【発明の開示】
【発明が解決しようとする課題】
【００１２】  以上のように、二枚の非接触ＩＣカード間にシート形状の磁性体と導電体を介在させることによってリーダー・ライターから発生した交流磁界内での非接触ＩＣカードの読み分けは可能である。【００１３】  しかしながら、従来技術１では両非接触ＩＣカード間にその他のカード類や紙幣、硬貨などを入れることを想定しておらず、ＩＣカード収納専用カードホルダーとなり、普段持ち歩く際に財布等を別途持参しなければならず、実用性について難がある。【００１４】  両外側面に収納する様々な組み合わせの非接触ＩＣカードとリーダー・ライターとの交信感度を調整する場合に於いて、磁性体，導電体並びに非接触ＩＣカード収納部間の間隙による調整では、収納ケース自体の総厚みの変化を伴うが、磁性体若しくは導電体の種類，厚み又は面積による調整と比較すると、調整に於ける原料コストを要しない。【００１５】  従来技術１の非接触型ＩＣカードホルダーに於いて、前述の通り用途をＩＣカード収納専用としており、前記間隙によっての調整を行うと、必要以上の厚みになり、携行する上で不便となる。【００１６】  従来技術２に於いて積層部分の加工の際に、導電性シートと磁性シートがそれぞれ異形状であるため、前記導電性シートと前記磁性シートをそれぞれ別々に所定の形状に型抜き加工等の成形加工を行い、前記導電性シートの表裏の所定位置にそれぞれ前記磁性シートを固定しなければならず、加工工数が多く生産性に難がある。【００１７】  また、従来技術２は前記導電性シートと前記磁性シートの三層積層構造であり、使用方法として財布やパスケース等のポケットに最低２枚の非接触ＩＣカードと同時に収納可能なサイズでなければならない。したがって厚みや面積も必然的に薄く小さくなければならないため、リーダー・ライターの出力に応じて感度調整する際に、間隙によっての調整は困難である。【００１８】  収納ケースに於いては、磁性体，導電体は皮革層等に封入されてしまい、これを目視することは不可能となる。磁性体，導電体の配置は正しくされていなければ作用しない為、完成後に於いての作動チェックは必須である。【００１９】  本発明で提供する収納ケースは、上記の課題である加工性、感度調整の容易さ、収納性並びに検査性の問題を解決したものである。更に、リーダー・ライターが放射する所定の周波数の交流磁界に対してリーダー・ライターにかざした非接触ＩＣカードとのみ確実に電磁結合による交信を行い、前記リーダー・ライター側とは逆側に収納された非接触ＩＣカードの電磁結合による交信を抑える機能を有した収納ケースを提供することを目的とする。
【課題を解決するための手段】
【００２０】  前記課題を解決するために本発明の収納ケースは、折り畳んだ状態に於いて両外側面にそれぞれ一枚ずつの非接触ＩＣカード収納部を設けた収納ケースであって、収納ケースの外側第一面より収納ケースが折り畳まれた内側方向に向かって順に、第一面非接触ＩＣカード収納部，次に少なくとも非接触ＩＣカードのループアンテナをカバーするサイズの磁性体（以下、小磁性体と呼ぶ）をそれぞれ配置し、収納ケースの外側第二面より収納ケースが折り畳まれた内側方向に向かって順に、第二面非接触ＩＣカード収納部，次に少なくとも外側第一面側の磁性体と同じか一回り大きいサイズの磁性体（以下、大磁性体と呼ぶ），更に大磁性体と同サイズの導電体をそれぞれ配置したことを特徴とする。【００２１】  本発明の収納ケースは、外側両面の非接触ＩＣカード収納部以外にその他収納部を有し、前記その他収納部の表面，裏面の片側若しくは両側には少なくとも非接触ＩＣカードのループアンテナをカバーするサイズの導電体を配置したことを特徴とする。ここで言うその他収納部とは非接触ＩＣカードを含む各種カード若しくは紙幣，硬貨等の収納部を指し、以下も同様とする。【００２２】  本発明の収納ケースは、小磁性体よりも前記収納ケース折り畳み時内側方向に、小磁性体と同形状の導電体を配置することによって、より確実な交信を実現可能である。【００２３】  本発明の収納ケースについて、大磁性体及び小磁性体の一方若しくは両方を任意に取り外し可能であることを特徴とする。【００２４】  本発明の収納ケースは、小磁性体と小磁性体に隣接して配置された導電体間及び大磁性体と大磁性体に隣接して配置された導電体間のうち、片側若しくは両側にその他収納部を配置することを特徴とする。【００２５】  本発明の収納ケースに使用する磁性体は、合成ゴム又は合成樹脂基材に磁性粉乃至は磁性フレークを分散させたシート状若しくは板状であることを特徴とする。【００２６】  本発明の収納ケースに使用する導電体は、反磁界を発生させる金属のうちいずれかよりなること及び、形状がシート状若しくは板状であることを特徴とする。
【発明の効果】
【００２７】  本発明の収納ケースによれば、収納ケース内部に導電体及び磁性体を配置したことによって、収納ケースに複数枚の非接触ＩＣカードを収納した状態に於いて、所望のＩＣカードをリーダー・ライターにかざした際に、リーダー・ライターが放射する所定の周波数の交流磁界が、リーダー・ライターにかざした側の非接触ＩＣカードとのみ電磁結合による交信を行い、リーダー・ライターと逆側に収納された非接触ＩＣカードの交信を抑える機能を有した折り畳み式非接触ＩＣカード収納ケースを提供することが可能となる。【００２８】  前記構成に加え、本発明の収納ケースによれば、小磁性体の収納ケース折り畳み時内側方向に、小磁性体と同形状の導電体を配置することによって、より確実な交信を実現できる。【００２９】  前記導電体を配置した構成では、収納ケース両外側にそれぞれ隣接して配置される磁性体と導電体が同一サイズである為、同時に型抜き加工等の成型加工が可能となる。磁性体及び導電体を貼り合わせて製品に組み込むことを前提とした場合には、予め磁性体と導電体を大きな寸法形状、例えば長尺のロール等の状態で貼り合わせて加工することで、成形加工後の製品単体ごとの位置決め，貼り合わせの工程が不要となり、従来技術２と比較して格段に成形加工性に優れると共に、生産コストの削減が実現できる。【００３０】  本発明の収納ケースに於いて、大磁性体及び小磁性体の一方若しくは両方を任意に取り外し可能である構造にすることにより、前記磁性体を取り外した側の収納ケース外側面非接触ＩＣカード収納部に収納した非接触ＩＣカードについて導電体が隣接した場合に、スキミング防止機能を持たせることが可能となる。
更に、違う種類や厚みの磁性体を収納ケースに差し替えることによって、収納ケースが完成後であっても、様々なＩＣカードに応じた交信感度調整を行うことが可能となる。【００３１】  本発明の収納ケースによれば、収納ケース内部にその他収納部を配置することによって、リーダー・ライターの出力に対応した感度調整を収納ケース内部の間隙により可能となる。
間隙による調整方法は、間隙を収納部として使用するのはもとより、磁性体若しくは導電体の種類，大きさ又は面積での調整に比べてコストを要せず、収納部の確保という点で付加価値要素がある。
加えて、その他収納部の表面、裏面の片側若しくは両側に導電体を配置することにより、前記その他収納部に非接触ＩＣカードが収納されても、前記導電体により発生した反磁界によって交信を不能にする効果が得られる。
前記その他収納部を設けることで本発明の収納ケースは、従来技術１と比較してパスケースとしての用途だけでなく財布や手帳など様々な構成に対応可能である。【００３２】  本発明の収納ケースの次の効果は、磁性体と導電体間に間隙を設け、これをその他収納部とする事により、前記その他収納部に永久磁石を挿入すると、永久磁石と磁性体が引き合う。
よって、ケース内部に磁性体を封入後であっても、リーダー・ライターを用いる事なく磁性体の内包を容易に確認出来る大きな効果を生む。
【発明を実施するための形態】
【００３３】  以下、本発明の実施形態を図面を参照して説明する。
【００３４】  （第一の実施の形態）
図１，２は本発明の第一の実施の形態を示している。
図１，２は本発明の収納ケースの最小構成例を表す断面図であり、図１は展開状態を示し、又図２は図１の構成の収納ケースをヒンジ部１０で折り畳んだ状態の断面図を示す。
【００３５】  図２に示すようにケース本体０３は、内部に図面下側より順に非接触ＩＣカード収納部０９，磁性体０６，導電体０７，磁性体０５，非接触ＩＣカード収納部（以下、ＩＣカード収納部と呼ぶ）０８をそれぞれ備え、ＩＣカード収納部０８，０９内には非接触ＩＣカード（以下、ＩＣカードと呼ぶ）Ｃ１，Ｃ２がそれぞれ収納されている。実際の使用時は図２の様に折り畳んだ状態でリーダー・ライターとの交信を行う。
【００３６】  前記ケース本体は交信を妨害しない例えば皮革、合成繊維、合成樹脂等の非磁性材料が好ましい。前記磁性体とは合成樹脂等の基材に磁性粉乃至は磁性フレークを分散させたシート状若しくは板状とし、前記導電体とは反磁界を発生させる金属で出来たシート状若しくは板状のものとする。
【００３７】  導電体０７の大きさは、リーダー・ライターと逆側にあるＩＣカードに磁界の交信を妨げる上で大きければ大きいほど好ましい。
【００３８】  ここで、図２の構成に於いてＩＣカードＣ１，Ｃ２がそれぞれ交信出力の違ったリーダー・ライターに対応する場合での読み分けが提案出来る。
【００３９】  図２に於いて、仮にＩＣカードＣ１が交信出力の弱いリーダー・ライターに対応したカードとし、ＩＣカードＣ２が交信出力の強いリーダー・ライターに対応したカードとする。
【００４０】  ここで、図２における収納部０９に収納されたＩＣカードＣ２を交信させるためにＩＣカードＣ２面を図示しない交信出力の強いリーダー・ライターの読み取り面にかざした際、前記リーダー・ライターは前記従来技術２と同様の効果により、前記ＩＣカードＣ１との磁路は形成されず、ＩＣカードＣ２のみと交信を行う。
【００４１】  次に、収納部０８に収納されたＩＣカードＣ１を交信させるために交信出力の弱いリーダー・ライターの読み取り面にかざした際、リーダー・ライターの交流磁界の多くは磁性体０５を磁路として収束し、リーダー・ライターに戻る磁力線のループを形成する。
【００４２】  リーダー・ライターの交流磁界のうち導電体０７と鎖交する磁界は、導電体０７により生じる渦電流により打ち消され、他方のＩＣカードＣ２のアンテナコイルＣ２ａには影響を与えない。ここで、導電体０７の外側を通る磁界については僅かながら磁性体０６へと引き込まれて磁路が形成されてＩＣカードＣ１に達するが、前記リーダー・ライターの交信出力が弱いため、交信に必要十分な強さの磁路を形成せず、結果としてＩＣカードＣ２のみの交信が実現できる。
【００４３】  更に図１に於いて、磁性体０５の下側に図示しない磁性体０５と同サイズの導電体をケース本体１０に内包して配置することにより、両側面にてＩＣカードに近接して反磁界を発生させる事が可能となるため、より確実なＩＣカードの読み分けが実現する構成となる。
【００４４】  上記本発明の実施の形態について、実際にリーダー・ライターと逆側のＩＣカードにどの程度、磁界の影響が及ぼされるかは、以下の実験により説明する。
【００４５】  （第二の実施の形態）
図３，４は本発明の第二の実施形態を示している。
図３，４は本発明の収納ケースの応用構成例を表す断面図であり、図３は展開状態を示し、又図４は図３の構成の収納ケースをヒンジ部１９で折り畳んだ状態の断面図を示す。
図３に於いて、ヒンジ部１９より右側のケース本体０４内部に図面上より非接触ＩＣカード収納部１６，磁性体１２，導電体１３，その他収納部１８が配置され、更にヒンジ部１９より左側のケース本体０４内部に図面上より非接触ＩＣカード収納部１５，磁性体１１，その他収納部２０，導電体１４，その他収納部１７が順に配置されている。ＩＣカード収納部１５にはＩＣカードＣ３が、ＩＣカード収納部１６にはＩＣカードＣ４が、その他収納部１７内にはＩＣカードＣ５が、その他収納部１８内にはＩＣカードＣ６がそれぞれ収納されている。
【００４６】  図４での収納ケース０４のように、折り畳まれた状態でのケース本体０４内部に新たにその他収納部１７，１８，２０を配置した場合、前記その他収納部のどちらか片側若しくは両側に少なくともループアンテナをカバーするサイズの導電体を配置する。
図４の例では、その他収納部１７，２０に対しては導電体１４、その他収納部１８については導電体１３がそれぞれ配置されている。
【００４７】  前記第一の実施の形態に於いては、両面が違う交信出力のリーダー・ライターに対応したＩＣカードを収納することを想定していたが、リーダー・ライターの交信出力並びに導電体と磁性体の種類，厚み及び面積を同一として、実験を行う。
【００４８】  先ず第一の構成として従来技術２、第二の構成として図２の最小構成例、第三の構成として図１に示す構成に加え磁性体０５の下側に磁性体０５と同形状の導電体を近接して配置した構成（以下、本発明応用例と呼ぶ）、以上これらを模式化した三構成を比較し、リーダー・ライターと逆側のＩＣカードのループアンテナに発生する電圧の測定実験を行うことにより磁性体の大きさによる性能差を比較する。
【００４９】  更に、本発明での収納ケースは収納ケース内部に収納部を備えることを想定している為、上記実験構成の内部に間隙（スペーサー）を設け、実用用途に即した構成での実験を行う。
スペーサーは従来技術２では片側の磁性体と導電体間に、本発明の最小構成例では小磁性体と導電体間に、本発明応用例では２枚の導電体間にそれぞれ挟み込むこととする。
【００５０】（実験）
以下、本発明に関する実験形態を図面を参照して説明する。
【００５１】  図５は従来技術２を応用した実験形態を、図６は本発明の最小構成例を、そして図７は本発明応用例をそれぞれ実験を行う構成として模式的に表した断面図を示している。その中でも図５Ａは従来技術２を利用した実験形態を、図６Ａ，Ｂは本発明最小構成例での裏表面二例の実験形態を、そして図７Ａ，Ｂは本発明応用例での裏表面二例の実験形態をそれぞれ模式的に表した断面図である。
【００５２】  本実験で使用したリーダー・ライター００５は、交信周波数１３．５６ＭＨｚ、公称最大交信距離が３０ｍｍのものである。磁性体００１，００２，００６は厚さ１２０μｍ，透磁率２３程度とし、導電体００３，００８は厚さ２５μｍのアルミニュウム箔とした。
【００５３】  実験では、導電体，磁性体，ＩＣカード，スペーサー並びに電圧センサーを重ね合わせる際には縦横の長手方向及び短手方向を揃え、中心位置を合わせて重ね合わせることとする。以下、構成部品の重ね方は前述の通りとする。
【００５４】  図５に於ける磁性体００１，００２の大きさは従来技術２の説明にあるように、導電体００３よりも一回り小さく、且つＩＣカードのループアンテナをカバーする大きさとあるため、当該実験に於いては、磁性体００１，００２をカードサイズの規格であるＩＳＯ７８１０のＩＤ−１（８５．６０ｍｍ×５３．９８ｍｍ）よりも縦横比約０．９倍の大きさの７７．０ｍｍ×４８．６ｍｍとし、導電体００３はＩＳＯ７８１０のＩＤ−１よりも縦横比約１．１倍の大きさの９４．２ｍｍ×５９．３ｍｍとした。
【００５５】  図６に於ける磁性体００６は導電体００３と縦横長さを同サイズとし、実験時は磁性体００６と導電体００３を貼り合わせて同時に抜き加工を行った事を前提として、お互いの面同士が正しく重なり合う様に用いた。
更に図７に於いても同様に、磁性体００１と導電体００８は同サイズであり、お互いの面同士を正しく重なり合う様に用いた。
【００５６】  実験に使用する被測定ＩＣカードとして、ＪＲ東日本（東日本旅客鉄道株式会社）が発行している「Ｓｕｉｃａ（ＴＭ）」を二枚及びＪＲ西日本（西日本旅客鉄道株式会社）が発行している「ＩＣＯＣＡ（ＴＭ）」を用いた。即ち、交通系のＩＣカードである為に駅に設置されている自動改札機による検出を想定して実験を行った。
以下、実験用ＩＣカードはそれぞれ、ＳｕｉｃａＡ，ＳｕｉｃａＢ，ＩＣＯＣＡと呼ぶこととする。
なお、以下実験による同一条件での電圧値は電圧センサーと密着させた被測定ＩＣカードの交信感度個体差により測定値のばらつきが生じる為、同構成で上記３種のカードをそれぞれ測定することとした。
【００５７】  実験に於いて、リーダー・ライター００５と逆側のＩＣカードの上面に、電圧センサー００４を前記ＩＣカードと密着させて、電圧センサー００４と接続された図示しない電圧計によって電圧の測定を行う。
【００５８】  第一の実験として、図５Ａによる構成での測定の場合、図示の通りに磁性体００１，００２，導電体００３，ＩＣカードＣ７，Ｃ８及び電圧センサー００４を重ねて固定し、リーダー・ライター００５の磁界発生面上にかざして電圧計が最も強い電圧値を示した箇所での電圧を測定する。
以下の全ての実験では電圧値の測定方法は上記方法に準ずることとする。
又、図５Ａの測定に関しては電圧センサー００４を構成に含めずに、導電体を挟んでの構成が上下対象になる場合に於いては、両面の測定値が変わりない為に片面のみの測定とする。
【００５９】  次いで、図６Ａ，Ｂ及び図７Ａ，Ｂでの構成にて測定する。図示の通り図６Ａ，図７Ａでは小さい磁性体００１を導電体の上面に大きい磁性体００６を下面に配置されている。図６Ａ，図７Ａと図６Ｂ，図７Ｂでは、電圧センサー００４を構成に含めない場合に上下非対称となるために、図示の通りＩＣカードＣ７，Ｃ８両面をリーダー・ライター００５と逆側に向けた状態でそれぞれ測定を行う。
以下にスペーサー００７を使用した測定の内容を記述するが、スペーサーを挟んだ全ての構成で上下非対称の構成となるために、前記両面の測定を行うこととする。
【００６０】  第二の実験として、本発明の実用構成である折り畳み式収納ケースとして収納ケース内部に間隙（スペーサー）が設けられた場合を想定して、図５Ａ，図６Ａ，Ｂ及び図７Ａ，Ｂの構成にスペーサー００７を挟んだ状態を構成を比較する。
スペーサーは図５Ｂ，Ｃ、図６Ｃ，Ｄ及び図７Ｃ，Ｄ中にあるスペーサー００７を使用し、素材は紙，厚み０．７ｍｍ，大きさはＩＣカードと同サイズとする。
スペーサー００７は図５，図６では磁性体００１，導電体００３間に、図７では導電体００３，００８間にその枚数を１枚から６枚まで１枚ずつ枚数を増やしていきＩＣカードＣ７面及びＣ８面の両面の測定を行う。図５Ｂ，Ｃ、図６Ｃ，Ｄ及び図７Ｃ，Ｄはスペーサーをそれぞれの構成で１枚及び２枚挟んだ状態を示している。スペーサー００７を３枚から６枚に増やした場合も図示はしないが同様の箇所に挟み重ねることとする。
【００６１】
【表１】
2009169918.tif 000003
【００６２】  表１及び図１０乃至１２より以下、実験結果を説明することとする。
【００６３】  第一の実験は、間隙（スペーサー）を設けない構成での測定である。
図５Ａ，図６Ａ及び図７Ａでの電圧値は０．０２２〜０．０２７Ｖとほぼ同様の低い値であった。図６Ｂ，図７Ｂの電圧値は測定されるＩＣカードＣ０８側の磁性体００６が導電体００３と同形状である為に、導電体００３の外側から回り込んだ磁界により０．０５０〜０．０６２Ｖとなり、前記電圧値と比較すると高い値である。しかし、駅に設置されている改札機の磁界内に非接触ＩＣカードが複数枚存在した場合と電圧センサーの測定値との相互関係上、測定電圧が０．２５０Ｖ未満である場合であれば「枚数超過」等のエラーにならないことが分かっているため、交信エラーを起こすことはない。
よって、三構成のいずれも駅の改札機での読み取りエラーを防ぐ効果を持つといえる。
【００６４】  スペーサー００７を使用した第二の実験では、先ず図５及び図６の結果について説明する。
導電体と磁性体間にスペーサー００７が介在しない側、即ち非接触ＩＣカードＣ８側（以下、Ｃ８側と呼ぶ）に於いて、図５の測定結果によると電圧値は０．０２０〜０．０２４Ｖの範囲内におさまり、図６での測定結果では０．０２９〜０．０５１Ｖの範囲の値であった。前記両構成共にＣ８側ではスペーサー００７を複数枚介在していくにつれ、電圧値がわずかに減少していく傾向を示している。
Ｃ８側は、磁性体及び導電体が密着しているので外側から回りこむ磁界が少ない上、リーダー・ライターからの距離が遠ざかる事によって磁界の強さが弱まる為に電圧値が高くならなかった。
数値を比較すると、図６に対して図５の電圧値は高くはあるが、前記改札機にてエラーを起こす電圧値にはほど遠いため問題はないと言える。
【００６５】  次いで、スペーサー００７を挟んだ構成での、導電体と磁性体間にスペーサー００７を介在させる側、即ち非接触ＩＣカードＣ７側（以下、Ｃ７側と呼ぶ）の測定値の比較に於いて、スペーサー００７を１枚から６枚まで挟むに連れて、両構成共に測定された電圧値は高くなっていく。
図５の構成ではスペーサー００７を４枚挟んだ時点で電圧ピーク値０．１６５Ｖを、図６の構成ではスペーサー００７を５枚挟んだ時点で電圧ピーク値０．１６５Ｖをそれぞれ測定したが、前記エラーを生じさせる電圧である０．２５０Ｖには達していないために改札機でのエラーを生じないものと判断される。
【００６６】  更にＣ７側の測定に於いて、電圧ピーク値まではスペーサー００７の枚数を追加していくことで電圧は増加傾向を示していたが、電圧ピーク値を記録した時点でのスペーサー００７の枚数よりもスペーサーの枚数を増やした測定電圧値は、図５及び図６の構成でも同様に減少傾向がみられる。これは、ＩＣカードＣ７側の磁性体が導電体の外側を回りこんだ磁界を収束させる影響以上に、リーダー・ライターからの磁界が距離に応じて減衰した影響が上回った為であり、これ以上スペーサー００７を増やしても電圧値は減少していくため、本発明での間隙を設けた構成ではＣ７側に於いても読み取りエラーが生じないことが確認できる。
【００６７】  続いて、図７の構成にスペーサー００７を介在させた場合の測定では、裏表ともに測定値が低く０．０２１〜０．０５６Ｖの範囲内と非常に小さい値となった。磁性体００１に隣接して導電体００８を配置することによって、他の二構成と比較して本発明応用例は折り畳み式非接触ＩＣカード収納ケースの構成として最適と言える。
【００６８】  第二の実験により、本発明の構成は磁性体及び導電体間に間隙を介在させた場合、即ち折り畳み式非接触ＩＣカード収納ケースに於いても複数枚の非接触ＩＣカードの読み分けについて妥当性を持つ構成であると証明された。
【図面の簡単な説明】
【００６９】
【図１】本発明の実施例の、最小構成での展開状態を示す断面図。
【図２】本発明の実施例の、最小構成での折り畳み状態を示す断面図。
【図３】本発明の実施例の、応用構成での展開状態を示す断面図。
【図４】本発明の実施例の、応用構成での折り畳み状態を示す断面図。
【図５】従来技術２の構成による、実験の概要を示す断面図。
【図６】本発明の最小構成例による、実験の概要を示す断面図。
【図７】本発明応用例による、実験の概要を示す断面図。
【図８】特許文献１の、非接触型ＩＣカードホルダーの構成及び非接触ＩＣカードの配置を示す断面図。
【図９】特許文献２の、ＩＣカードアクセス制御体の構成及び非接触ＩＣカードの配置を示す断面図。
【図１０】［図５］の構成例での実験に於ける電圧測定結果。
【図１１】［図６］の構成例での実験に於ける電圧測定結果
【図１２】［図７］の構成例での実験に於ける電圧測定結果。
【符号の説明】
【００７０】０１，０２…折り畳み式非接触ＩＣカード収納ケース、０３，０４…ケース本体、０５，０６，１１，１２，００１，００２，００６，１０１，１０２…磁性体、０７，１３，１４，００３，００８，１０３…導電体、２０１，２０２…磁性シート、２０３…導電性シート、Ｃ１，Ｃ２，Ｃ３，Ｃ４，Ｃ５，Ｃ６，Ｃ７，Ｃ８，ＣＡ，ＣＢ，ＣＣ，ＣＤ…非接触ＩＣカード、Ｃ１ａ，Ｃ２ａ，Ｃ３ａ，Ｃ４ａ，Ｃ５ａ，Ｃ６ａ，Ｃ７ａ，Ｃ８ａ…ループアンテナ、ＣＡａ，ＣＢａ，ＣＣａ，ＣＤａ…アンテナコイル、０８，０９，１５，１６…非接触ＩＣカード収納部、１０，１９…収納ケースヒンジ部、１７，１８，２０…その他収納部、００５…リーダー・ライター、００５ａ…リーダー・ライターループアンテナ、００４…電圧センサー、００４ａ…電圧センサーループアンテナ、００７…０．７ｍｍスペーサー
【図１】
2009169918.tif 000004
【図２】
2009169918.tif 000005
【図３】
2009169918.tif 000006
【図４】
2009169918.tif 000007
【図５】
2009169918.tif 000008
【図６】
2009169918.tif 000009
【図７】
2009169918.tif 000010
【図８】
2009169918.tif 000011
【図９】
2009169918.tif 000012
【図１０】
2009169918.tif 000013
【図１１】
2009169918.tif 000014
【図１２】
2009169918.tif 000015